(57)【要約】【課題】    目地台座部のコンクリート膨張圧に対する抵抗を小さくし、コンクリートの膨張を確実に吸収できるようにした目地材を得る。【解決手段】  弾性材よりなる広幅の目地台座部１の上に弾性材よりなる狭幅の板状目地主部２が立設した構造の目地材において、前記目地台座部１の一部に、目地台座部１の圧縮抵抗を小さくさせる圧縮抵抗減少部７を設けることにより、目地材の長手方向両側面にコンクリートの膨脹圧が加わったとき、コンクリートの膨張圧の最初の抵抗部位となる目地台座部１が、その材質特性により収縮して前記コンクリートの膨張を吸収するとともに、前記目地台座部１の一部に設けられている圧縮抵抗減少部７でコンクリートの膨張を吸収するようにした。【選択図】    図１
2006009460.tif 000002
【特許請求の範囲】
【請求項１】
弾性材よりなる広幅の目地台座部の上に弾性材よりなる狭幅の板状目地主部が立設した構造の目地材において、前記目地台座部の一部に、目地台座部の圧縮抵抗を小さくさせる圧縮抵抗減少部が設けられていることを特徴とする目地材。
【請求項２】
前記目地台座部と板状目地主部は一体に形成されており、前記目地台座部の一部に設けられた圧縮抵抗減少部は、目地台座部の底部に開口する溝により形成されていることを特徴とする請求項１に記載の目地材。
【請求項３】
前記目地台座部と板状目地主部は別体に形成され、前記目地台座部の上面に嵌合溝が形成され、この嵌合溝に前記板状目地主部が嵌合されて立設しており、前記目地台座部に設けられた圧縮抵抗減少部は、目地台座部の底部に開口する溝により形成されていることを特徴とする請求項１に記載の目地材。
【請求項４】
前記目地台座部と板状目地主部は別体に形成され、前記目地台座部の上面に嵌合溝が形成され、この嵌合溝に前記板状目地主部が嵌合されて立設しており、前記目地台座部に設けられた圧縮抵抗減少部は、前記目地台座部の嵌合溝に貫通する孔またはスリットにより形成されていることを特徴とする請求項１に記載の目地材。
【発明の詳細な説明】
【技術分野】
【０００１】
本発明は、コンクリートの打設面を区切って縁切りし、コンクリートの伸縮による亀裂等の発生を防止する目地材に関するものである。
【背景技術】
【０００２】
コンクリートを打設する際に、コンクリートの伸縮による亀裂等の発生を防止するため、コンクリート打設前に目地材を予め所定間隔で設置している。
【０００３】
従来、かかる目地材として、ポリエチレン、ポリスチレン等の如き合成樹脂の発泡体等の弾性材よりなる広幅の目地台座部の上に、同じく弾性材よりなる狭幅の板状目地主部が立設された構造の目地材が知られている。この目地材としては、目地台座部と板状目地主部が一体に形成された構造のもの（例えば、特許文献１参照。）や、図７に示すように、目地台座部１と板状目地主部２が別体に形成され、前記目地台座部１の上面に嵌合溝３が形成され、この嵌合溝３に前記板状目地主部２が嵌合されて立設された構造のもの（例えば、特許文献２参照。）がある。このような構造の目地材４は、いずれも板状目地主部２の頂部高さがコンクリート打設厚みに応じた高さに形成されており、そして、コンクリート打設前に、コンクリート打設基礎面５上に目地台座部１の底面が接着剤等により接着固定されて配置されるようになっている。そして、コンクリート打設基礎面５上に配置された前記目地材４は、その長さ方向の両側面に受けるコンクリート６の膨張を吸収し得るようになっている。
【特許文献１】実開昭５９−１２３４７号公報
【特許文献２】実公昭６２−２３９５０号公報
【発明の開示】
【発明が解決しようとする課題】
【０００４】
しかしながら、このような構造の目地材では、図７に示すように、打設したコンクリート６が膨脹すると、該目地材４の長手方向両側面にコンクリート６の膨脹圧が加わり、目地材４がその材質特性により収縮して前記コンクリート６の膨脹を吸収する。このとき目地台座部１は、板状目地主部２に比べて幅が広く、そのため、目地台座部１がコンクリート６の膨張圧の最初の抵抗部位となる。コンクリート６の膨張は、先ず目地台座部１で吸収されるが、目地台座部１の抵抗により、該抵抗を受けたコンクリート６の一部に、目地台座部１より遅れて抵抗部位となる前記狭幅の板状目地主部２側に上昇移動する現象が生じ、この結果、目地材４の両側近傍のコンクリート６に亀裂が生じたり、コンクリート６がせり上がる等の懸念があるといった問題がある。
【０００５】
本発明の目的とするところは、目地台座部のコンクリート膨張圧に対する抵抗を小さくし、コンクリートの膨張を確実に吸収できるようにした目地材を提供することにある。
【課題を解決するための手段】
【０００６】
上記の目的を達成する本発明の構成を説明すると、次の通りである。
【０００７】
請求項１に記載の発明は、弾性材よりなる広幅の目地台座部の上に弾性材よりなる狭幅の板状目地主部が立設した構造の目地材において、前記目地台座部の一部に、目地台座部の圧縮抵抗を小さくさせる圧縮抵抗減少部が設けられていることを特徴とする。
【０００８】
かかる構成から、目地材の長手方向両側面にコンクリートの膨脹圧が加わったとき、コンクリートの膨張圧の最初の抵抗部位となる目地台座部は、その材質特性により収縮して前記コンクリートの膨張を吸収するが、前記目地台座部の一部に設けられている圧縮抵抗減少部がコンクリートの膨張圧に対する目地台座部の圧縮抵抗を、その材質特性だけによる圧縮抵抗より小さくさせることになり、コンクリートの膨張を確実に吸収し、膨張するコンクリートの一部が板状目地主部側に上昇移動する現象が生じない。
【０００９】
請求項２に記載の発明は、請求項１に記載の、前記目地台座部と板状目地主部は一体に形成されており、前記目地台座部の一部に設けられた圧縮抵抗減少部は、目地台座部の底部に開口する溝により形成されていることを特徴とする。
【００１０】
かかる構成から、圧縮抵抗減少部が、目地台座部の底部に開口する溝により形成されているので、目地材の目地台座部にコンクリートの膨脹圧が加わったとき、目地台座部は、その材質特性により収縮するだけでなく、圧縮抵抗減少部を構成する溝の空間が変形し、この溝の空間の変形がコンクリートの膨脹圧に対する目地台座部の圧縮抵抗を、その材質特性だけによる圧縮抵抗より小さくさせることになり、コンクリートの膨張を確実に吸収し、膨張するコンクリートの一部が板状目地主部側に上昇移動する現象が生じない。
【００１１】
また、前記圧縮抵抗減少部を構成する溝は、目地台座部の底部に開口しているので、打設したコンクリートが溝内に入るおそれが無く、圧縮抵抗減少部としての機能を損なうおそれは無い。更に、製造に際し、圧縮抵抗減少部は目地台座部の底部に溝を形成することにより設けるので、製造が容易であり、また、従来の目地材に比べてコストアップを伴うものではない。
【００１２】
請求項３に記載の発明は、請求項１に記載の、前記目地台座部と板状目地主部は別体に形成され、前記目地台座部の上面に嵌合溝が形成され、この嵌合溝に前記板状目地主部が嵌合されて立設しており、前記目地台座部に設けられた圧縮抵抗減少部は、目地台座部の底部に開口する溝により形成されていることを特徴とする。
【００１３】
かかる構成から、圧縮抵抗減少部が、目地台座部の底部に開口する溝により形成されているので、目地材の目地台座部にコンクリートの膨脹圧が加わったとき、目地台座部は、その材質特性により収縮するだけでなく、圧縮抵抗減少部を構成する溝の空間が変形し、この溝の空間の変形がコンクリートの膨脹圧に対する目地台座部の圧縮抵抗を、その材質特性だけによる圧縮抵抗より小さくさせることになり、コンクリートの膨張を確実に吸収し、膨張するコンクリートの一部が板状目地主部側に上昇移動する現象が生じない。
【００１４】
また、前記圧縮抵抗減少部を構成する溝は、目地台座部の底部に開口しているので、打設したコンクリートが溝内に入るおそれが無く、圧縮抵抗減少部としての機能を損なうおそれは無い。更に、製造に際し、圧縮抵抗減少部は目地台座部の底部に溝を形成することにより設けるので、製造が容易であり、また、従来の目地材に比べてコストアップを伴うものとはならない。
【００１５】
請求項４に記載の発明は、請求項１に記載の、前記目地台座部と板状目地主部は別体に形成され、前記目地台座部の上面に嵌合溝が形成され、この嵌合溝に前記板状目地主部が嵌合されて立設しており、前記目地台座部に設けられた圧縮抵抗減少部は、前記目地台座部の嵌合溝に貫通する孔またはスリットによりにより形成されていることを特徴とする。
【００１６】
かかる構成から、圧縮抵抗減少部が、目地台座部の嵌合溝に貫通する孔またはスリットによりにより形成されているので、目地材の目地台座部にコンクリートの膨脹圧が加わったとき、目地台座部は、その材質特性により収縮するだけでなく、圧縮抵抗減少部を構成する孔またはスリットの空間が変形し、この孔またはスリットの空間の変形がコンクリートの膨脹圧に対する目地台座部の圧縮抵抗を、その材質特性だけによる圧縮抵抗より小さくさせることになり、コンクリートの膨張を確実に吸収し、膨張するコンクリートの一部が板状目地主部側に上昇移動する現象が生じない。
【００１７】
また、前記圧縮抵抗減少部を構成する孔またはスリットは、目地台座部の嵌合溝に貫通して形成されているが、嵌合溝には板状目地主部が嵌合しているので、打設したコンクリートが孔やスリット内に入るおそれが無く、圧縮抵抗減少部としての機能を損なうおそれは無い。更に、製造に際し、圧縮抵抗減少部は嵌合溝に孔またはスリットを形成することにより設けるので、製造が容易であり、また、従来の目地材に比べてコストアップを伴うものとはならない。
【発明の効果】
【００１８】
本発明は、弾性材よりなる広幅の目地台座部の上に弾性材よりなる狭幅の板状目地主部が立設された構造の目地材において、前記目地台座部の一部に、目地台座部の圧縮抵抗を小さくさせる圧縮抵抗減少部が設けられているので、目地材の長手方向両側面にコンクリートの膨脹圧が加わったとき、コンクリートの膨張圧の最初の抵抗部位となる目地台座部は、その材質特性により収縮して前記コンクリートの膨張を吸収するが、前記目地台座部の一部に設けられている圧縮抵抗減少部がコンクリートの膨張圧に対する目地台座部の抵抗を、その材質特性だけによる抵抗より小さくさせることになり、コンクリートの膨張を確実に吸収し、膨張するコンクリートの一部が板状目地主部側に上昇移動する現象が生じないので、目地材の両側近傍のコンクリートに亀裂が生じたり、コンクリートがせり上がる等の懸念を確実に解消することができる。
【発明を実施するための最良の形態】
【００１９】
以下、本発明に係る目地材を実施するための最良の形態の各例を、図面を参照して詳細に説明する。
【００２０】
図１及び図２は本発明に係る目地材の第１例を示したもので、図１は本例の目地材の斜視図、図２は図１に示す目地材を底面側から見た斜視図である。
【００２１】
本例の目地材４は、発泡ポリエチレン、発泡スチロールの如き合成樹脂の発泡体等の弾性材よりなる広幅の目地台座部１の上に、同じく弾性材よりなる狭幅の板状目地主部２が一体に立設した構造となっている。前記目地台座部１及び板状目地主部２にあっては、従来のこの種の目地材を構成する目地台座部及び板状目地主部と変わるところはない。
【００２２】
前記目地台座部１には、その一部に、目地台座部１の幅方向の圧縮抵抗を小さくさせる圧縮抵抗減少部７が設けられている。本例では、圧縮抵抗減少部７は目地台座部１の底部に開口する溝８により形成されている。この溝８は目地台座部１の底部に目地材４の長手方向に沿って形成されている。この溝８の形状、溝幅、溝深さにあっては特に限定されるものでないが、溝幅が狭く、また溝深さが浅い場合は、目地台座部１の幅方向の圧縮抵抗を十分に小さくさせられなくなる場合があり、また、溝幅が広く、また溝深さが深い場合は、目地台座部１としての強度が保てなくなる場合があるので、この溝８の溝幅や溝深さを、目地台座部１の幅方向の圧縮抵抗を小さくでき且つ目地台座部１としての強度が保てる範囲で設定することが求められる。
【００２３】
このように、目地台座部１の底部に、目地台座部１の幅方向の圧縮抵抗を小さくさせる圧縮抵抗減少部７となる溝８が形成されているので、目地材４の目地台座部１に、その幅方向両側からコンクリートの膨脹圧が加わったとき、目地台座部１は、その材質特性により収縮するだけでなく、溝８の空間が変形するので、この溝８の空間の変形がコンクリートの膨脹圧に対する目地台座部１の圧縮抵抗を、その材質特性だけによる圧縮抵抗より小さくさせることになり、コンクリートの膨張を確実に吸収し、膨張するコンクリートの一部が板状目地主部側に上昇移動する現象が生じない。
【００２４】
また、前記圧縮抵抗減少部７を構成する溝８は、目地台座部１の底部に開口しているので、打設したコンクリートが溝内に入るおそれが無く、圧縮抵抗減少部７としての機能を損なうおそれは無い。更に、製造に際し、圧縮抵抗減少部７は目地台座部１の底部に溝８を形成することにより設けるので、製造が容易であり、また、従来の目地材に比べてコストアップを伴うものではない。
【００２５】
図３及び図４は本発明に係る目地材の第２例を示したもので、図３は本例の目地材の斜視図、図４は図３に示す目地材の板状目地主部を外した目地台座部の平面図である。
【００２６】
本例の目地材４は、発泡ポリエチレン、発泡スチロールの如き合成樹脂の発泡体等の弾性材よりなる広幅の目地台座部１と、同じく弾性材よりなる狭幅の板状目地主部２が別体に形成され、前記目地台座部１の上面に嵌合溝３が形成され、この嵌合溝３に前記板状目地主部２が嵌合されて立設した構造となっている。前記目地台座部１及び板状目地主部２にあっては、従来のこの種の目地材を構成する目地台座部及び板状目地主部と変わるところはない。
【００２７】
前記目地台座部１には、その一部に、目地台座部１の幅方向の圧縮抵抗を小さくさせる圧縮抵抗減少部７が設けられている。本例では、圧縮抵抗減少部７は前記目地台座部１の嵌合溝３に貫通するスリット９により形成されているが、これに限られるものではなく、図５に示すように、前記目地台座部１の嵌合溝３に貫通する孔１０により形成されていてもよい。
【００２８】
前記スリット９または孔１０は、目地台座部１の底部に目地材４の長手方向に沿って形成されている。このスリット９の形状、幅、また孔１０の大きさにあっては特に限定されるものでないが、スリット９の幅が狭い場合また孔１０が小さい場合は、目地台座部１の幅方向の圧縮抵抗を十分に小さくさせられなくなる場合があり、また、スリット９の幅が広い場合また孔１０が大きい場合は、目地台座部１としての強度が保てなくなる場合があるので、このスリット９の幅、また孔１０の大きさを、目地台座部１の幅方向の圧縮抵抗を小さくでき且つ目地台座部１としての強度が保てる範囲で設定することが求められる。
【００２９】
このように、目地台座部１に、目地台座部１の幅方向の圧縮抵抗を小さくさせる圧縮抵抗減少部７となるスリット９または孔１０が目地台座部１の嵌合溝３に貫通して形成されているので、目地材４の目地台座部１に、その幅方向両側からコンクリートの膨脹圧が加わったとき、目地台座部１は、その材質特性により収縮するだけでなく、スリット９または孔１０の空間が変形するので、このスリット９または孔１０の空間の変形がコンクリートの膨脹圧に対する目地台座部１の圧縮抵抗を、その材質特性だけによる圧縮抵抗より小さくさせることになり、コンクリートの膨張を確実に吸収し、膨張するコンクリートの一部が板状目地主部側に上昇移動する現象が生じない。
【００３０】
また、前記圧縮抵抗減少部７を構成するスリット９または孔１０は、目地台座部１の嵌合溝３に貫通して形成されているが、嵌合溝３には板状目地主部２が嵌合しているので、打設したコンクリートがスリット９または孔１０内に入るおそれが無く、圧縮抵抗減少部７としての機能を損なうおそれは無い。更に、製造に際し、圧縮抵抗減少部７は嵌合溝３にスリット９または孔１０を形成することにより設けるので、製造が容易であり、また、従来の目地材に比べてコストアップを伴うものとはならない。
【００３１】
図６は本発明に係る目地材の第３例を示したもので、図６は本例の目地材の斜視図である。
【００３２】
本例の目地材４は、前記第２例と同様に、発泡ポリエチレン、発泡スチロールの如き合成樹脂の発泡体等の弾性材よりなる広幅の目地台座部１と、同じく弾性材よりなる狭幅の板状目地主部２が別体に形成され、前記目地台座部１の上面に嵌合溝３が形成され、この嵌合溝３に前記板状目地主部２が嵌合されて立設した構造となっている。
【００３３】
前記目地台座部１には、その一部に、目地台座部１の幅方向の圧縮抵抗を小さくさせる圧縮抵抗減少部７が設けられている。本例では、圧縮抵抗減少部７は、目地台座部１の底部に開口する溝１１により形成されている。
【００３４】
この溝１１は、前記第１例と同様に、目地台座部１の底部に目地材４の長手方向に沿って形成されている。この溝１１の形状、溝幅、溝深さにあっては特に限定されるものでないが、溝幅が狭く、また溝深さが浅い場合は、目地台座部１の幅方向の圧縮抵抗を十分に小さくさせられなくなる場合があり、また、溝幅が広く、また溝深さが深い場合は、目地台座部１としての強度が保てなくなる場合があるので、この溝１１の溝幅や溝深さを、目地台座部１の幅方向の圧縮抵抗を小さくでき且つ目地台座部１としての強度が保てる範囲で設定することが求められる。
【００３５】
このように、目地台座部１の底部に、目地台座部１の幅方向の圧縮抵抗を小さくさせる圧縮抵抗減少部７となる溝１１が形成されているので、目地材４の目地台座部１に、その幅方向両側からコンクリートの膨脹圧が加わったとき、目地台座部１は、その材質特性により収縮するだけでなく、溝１１の空間が変形するので、この溝１１の空間の変形がコンクリートの膨脹圧に対する目地台座部１の圧縮抵抗を、その材質特性だけによる圧縮抵抗より小さくさせることになり、コンクリートの膨張を確実に吸収し、膨張するコンクリートの一部が板状目地主部側に上昇移動する現象が生じない。
【００３６】
また、前記圧縮抵抗減少部７を構成する溝１１は、目地台座部１の底部に開口しているので、打設したコンクリートが溝内に入るおそれが無く、圧縮抵抗減少部７としての機能を損なうおそれは無い。更に、製造に際し、圧縮抵抗減少部７は目地台座部１の底部に溝１１を形成することにより設けるので、製造が容易であり、また、従来の目地材に比べてコストアップを伴うものではない。
【図面の簡単な説明】
【００３７】
【図１】本発明に係る目地材の実施の形態の第１例を示す斜視図である。
【図２】図１に示す目地材を底面側から見た斜視図である。
【図３】本発明に係る目地材の実施の形態の第２例を示す斜視図である。
【図４】図３に示す目地材の板状目地主部を外した目地台座部の平面図である。
【図５】圧縮抵抗減少部の他例を示した目地台座部の平面図である。
【図６】本発明に係る目地材の実施の形態の第３例を示す斜視図である。
【図７】従来の目地材を使用した状態を示す断面図である。
【符号の説明】
【００３８】
１  目地台座部
２  板状目地主部
３  嵌合溝
４  目地材
５  コンクリート打設基礎面
６  コンクリート
７  圧縮抵抗減少部
８  溝
９  スリット
１０  孔
１１  溝
【図１】
2006009460.tif 000003
【図２】
2006009460.tif 000004
【図３】
2006009460.tif 000005
【図４】
2006009460.tif 000006
【図５】
2006009460.tif 000007
【図６】
2006009460.tif 000008
【図７】
2006009460.tif 000009